(57)【要約】 【課題】反射率を向上させることができる液晶表示パネルを提供する。【解決手段】複数の単位画素が定義され、該各々の単位画素は赤色、緑色、青色及び白色サブ画素領域を有する第１及び第２基板と、前記第１基板上に形成される薄膜トランジスタと、前記薄膜トランジスタと接続される画素電極と、前記画素電極と接続され、前記白色サブ画素領域が外部光によって画像を具現し、前記赤色、緑色及び青色サブ画素領域が内部光及び前記外部光のうちの少なくともいずれか一つの光によって画像を具現するように形成される反射電極と、前記第２基板上の前記赤色、緑色及び青色サブ画素領域に形成される赤色、緑色及び青色カラーフィルタと、前記第２基板に形成され、前記第１基板の白色サブ画素領域を照光し、前記第２基板の前記赤色、緑色及び青色サブ画素領域の少なくとも一部を照光するライトホールとを有する。【選択図】      図１
2008040496.tif 000002
【特許請求の範囲】
【請求項１】
複数の単位画素が定義され、該各々の単位画素は赤色、緑色、青色及び白色サブ画素領域を有する第１及び第２基板と、
前記第１基板上に形成される薄膜トランジスタと、
前記薄膜トランジスタと接続される画素電極と、
前記画素電極と接続され、前記白色サブ画素領域が外部光によって画像を具現し、前記赤色、緑色及び青色サブ画素領域が内部光及び前記外部光のうちの少なくともいずれか一つの光によって画像を具現するように形成される反射電極と、
前記第２基板上の前記赤色、緑色及び青色サブ画素領域に形成される赤色、緑色及び青色カラーフィルタと、
前記第２基板に形成され、前記第１基板の白色サブ画素領域を照光し、前記第２基板の前記赤色、緑色及び青色サブ画素領域の少なくとも一部を照光するライトホールとを有することを特徴とする液晶表示パネル。
【請求項２】
前記ライトホールは、前記反射電極と重畳されることを特徴とする請求項１に記載の液晶表示パネル。
【請求項３】
前記赤色、緑色、青色及び白色サブ画素領域は、列方向及び行方向に配置されてモザイク形態の２次元アレイを成すことを特徴とする請求項１に記載の液晶表示パネル。
【請求項４】
前記赤色、緑色、青色及び白色サブ画素領域のライトホール及び反射電極のそれぞれは、互いに隣接して配置され前記モザイク形態の２次元アレイをなすことを特徴とする請求項３に記載の液晶表示パネル。
【請求項５】
前記赤色、緑色、青色及び白色サブ画素領域は、列方向または行方向に順次に配置されストライプ形態を成すことを特徴とする請求項１に記載の液晶表示パネル。
【請求項６】
前記赤色、緑色、青色及び白色サブ画素領域のライトホール及び反射電極のそれぞれは、互いに隣接して配置され前記ストライプ形態をなすように形成されることを特徴とする請求項５に記載の液晶表示パネル。
【請求項７】
前記赤色、緑色、青色サブ画素領域及び白色サブ画素領域のライトホールの面積の広さは、白色サブ画素領域＞緑色サブ画素領域＞赤色サブ画素領域＞青色サブ画素領域の順であることを特徴とする請求項４に記載の液晶表示パネル。
【請求項８】
前記赤色、緑色、青色サブ画素領域及び白色サブ画素領域のライトホールの面積の広さは、白色サブ画素領域＞緑色サブ画素領域＞赤色サブ画素領域＞青色サブ画素領域の順であることを特徴とする請求項６に記載の液晶表示パネル。
【請求項９】
前記ライトホールは、前記白色サブ画素領域の面積の１００％を占め、前記赤色サブ画素領域の面積の０〜７５％を占め、前記緑色サブ画素領域の面積の０〜８５％を占め、前記青色サブ画素領域の面積の０〜５０％を占めるような大きさで形成することを特徴とする請求項４に記載の液晶表示パネル。
【請求項１０】
前記ライトホールは、前記白色サブ画素領域の面積の１００％を占め、前記赤色サブ画素領域の面積の０〜７５％を占め、前記緑色サブ画素領域の面積の０〜８５％を占め、前記青色サブ画素領域の面積の０〜５０％を占めるような大きさで形成することを特徴とする請求項８に記載の液晶表示パネル。
【請求項１１】
前記反射電極は、前記白色サブ画素領域の面積の１００％を占め、前記赤色、緑色及び青色サブ画素領域各々の面積の０〜１００％を占めるような大きさで形成することを特徴とする請求項４に記載の液晶表示パネル。
【請求項１２】
前記反射電極は、前記白色サブ画素領域の面積の１００％を占め、前記赤色、緑色及び青色サブ画素領域各々の面積の０〜１００％を占めるような大きさで形成することを特徴とする請求項６に記載の液晶表示パネル。
【請求項１３】
前記赤色、緑色、青色サブ画素領域の反射電極の面積は互いに同一であり、前記白色サブ画素領域の反射電極の面積は前記赤色、緑色、青色サブ画素領域各々の反射電極の面積より大きく形成されることを特徴とする請求項６に記載の液晶表示パネル。
【発明の詳細な説明】
【技術分野】
【０００１】
本発明は液晶表示パネルに係り、特に、反射率を向上させることができる液晶表示パネルに関する。
【背景技術】
【０００２】
一般的に、液晶表示装置は液晶パネルにマトリックス形態に配列された液晶セルそれぞれがビデオ信号によって光透過率を調節するようにすることで画像を表示する。
【０００３】
このような液晶表示装置はバックライトを光源として用いる透過型液晶表示装置と外部光を用いる反射型液晶表示装置とに分類することができる。透過型液晶表示装置はバックライトを光源を用いて暗い外部環境でも明るい画像を表示する。しかし、電力消費が大きいという問題点がある。反射型液晶表示装置はバックライトを使用しないので消費電力が減少するが、外部自然光が暗いときは使用が不可能であるという問題点がある。
【０００４】
これを解決するために、半透過型液晶表示装置が提案され、半透過型液晶表示装置はサブピクセル内に反射部と透過部を同時に有するので必要に応じて反射型及び透過型で使用することができる。
しかし、半透過型液晶表示装置はサブピクセルが透過領域と反射領域を含むので透過率が透過型液晶表示装置より低く、反射率は反射型液晶表示装置より低い。即ち、半透過型液晶表示装置は透過型液晶表示装置に比べて輝度の低いという問題点がある。
【発明の開示】
【発明が解決しようとする課題】
【０００５】
そこで、本発明は上記従来の液晶表示パネルにおける問題点に鑑みてなされたものであって、本発明の目的は、反射率を向上させることができる液晶表示パネルを提供することにある。
【課題を解決するための手段】
【０００６】
上記目的を達成するためになされた本発明による液晶表示パネルは、複数の単位画素が定義され、該各々の単位画素は赤色、緑色、青色及び白色サブ画素領域を有する第１及び第２基板と、前記第１基板上に形成される薄膜トランジスタと、前記薄膜トランジスタと接続される画素電極と、前記画素電極と接続され、前記白色サブ画素領域が外部光によって画像を具現し、前記赤色、緑色及び青色サブ画素領域が内部光及び前記外部光のうちの少なくともいずれか一つの光によって画像を具現するように形成される反射電極と、前記第２基板上の前記赤色、緑色及び青色サブ画素領域に形成される赤色、緑色及び青色カラーフィルタと、前記第２基板に形成され、前記第１基板の白色サブ画素領域を照光し、前記第２基板の前記赤色、緑色及び青色サブ画素領域の少なくとも一部を照光するライトホールとを有することを特徴とする。
【０００７】
ここで、前記ライトホールは、前記反射電極と重畳されることが好ましい。
前記赤色、緑色、青色及び白色サブ画素領域は、列方向及び行方向に配置されてモザイク形態の２次元アレイを成すことが好ましい。
前記赤色、緑色、青色及び白色サブ画素領域のライトホール及び反射電極のそれぞれは、互いに隣接して配置され前記モザイク形態の２次元アレイをなすことが好ましい。
【０００８】
また、前記赤色、緑色、青色及び白色サブ画素領域は、列方向または行方向に順次に配置されストライプ形態を成すことが好ましい。
前記赤色、緑色、青色及び白色サブ画素領域のライトホール及び反射電極のそれぞれは、互いに隣接して配置され前記ストライプ形態をなすように形成されることが好ましい。
【０００９】
前記赤色、緑色、青色サブ画素領域及び白色サブ画素領域のライトホールの面積の広さは、白色サブ画素領域＞緑色サブ画素領域＞赤色サブ画素領域＞青色サブ画素領域の順であることが好ましい。
【００１０】
前記ライトホールは、前記白色サブ画素領域の面積の１００％を占め、前記赤色サブ画素領域の面積の０〜７５％を占め、前記緑色サブ画素領域の面積の０〜８５％を占め、前記青色サブ画素領域の面積の０〜５０％を占めるような大きさで形成することが好ましい。
【００１１】
前記反射電極は、前記白色サブ画素領域の面積の１００％を占め、前記赤色、緑色及び青色サブ画素領域各々の面積の０〜１００％を占めるような大きさで形成することが好ましい。
前記赤色、緑色、青色サブ画素領域の反射電極の面積は互いに同一であり、前記白色サブ画素領域の反射電極の面積は前記赤色、緑色、青色サブ画素領域各々の反射電極の面積より大きく形成されることが好ましい。
【発明の効果】
【００１２】
本発明に係る液晶表示パネルによれば、反射領域として実施される白色サブ画素、透過領域及び反射領域のうち少なくともいずれか一つを有する赤色、緑色及び青色サブ画素を有する単位画素を具備する。それにより、本発明による液晶表示パネルは、反射モードの際、単位画素面積のうち少なくとも１／４の面積で外部光を反射させることで従来に比べて反射効率が高くなるという効果がある。
【発明を実施するための最良の形態】
【００１３】
次に、本発明に係る液晶表示パネルを実施するための最良の形態の具体例を図面を参照しながら説明する。
【００１４】
図１及び図２は本発明の第１の実施形態よる液晶表示パネルのカラーフィルタ基板及び薄膜トランジスタ基板を示す平面図であり、図３及び４は図１及び図２のＩ−Ｉ’線に沿って切断した液晶表示パネルの薄膜トランジスタ基板及びカラーフィルタ基板を示す断面図である。
【００１５】
図１及び図２、図３及び図４に示す液晶表示パネルは、薄膜トランジスタ基板１６０、液晶を間に介在させ薄膜トランジスタ基板１６０と対向するカラーフィルタ基板１５０を具備する。ここで、図１及び図２に示す液晶表示パネルは列方向及び行方向に赤色（Ｒ）、緑色（Ｇ）、青色（Ｂ）及び白色（Ｗ）サブ画素がモザイク形態に配列された複数の単位画素で構成される。例えば、各単位画素は２×２行列で配置された赤色、緑色、青色及び白色サブ画素からなる。
【００１６】
カラーフィルタ基板１５０には光漏れを防止するためのブラックマトリックス１４０と、カラー表示を具現するためのカラーフィルタ１４２Ｒ、１４２Ｇ、１４２Ｂ、反射領域（ＲＡ）に位置するライトホール１４４、画素電極１２２とによって垂直電界を成す共通電極１４６を含むカラーフィルタアレイが上部基板１１１上に形成される。
【００１７】
ブラックマトリックス１４０はゲートライン１０２、データライン１０４及び薄膜トランジスタのうちの少なくともいずれか一つと重畳されるように上部基板１１１上に形成される。このようなブラックマトリックス１４０は各サブ画素領域（ＳＰＡ）を区分すると同時に隣接したサブ画素領域（ＳＰＡ）間の光干渉を防止する役割をする。
【００１８】
共通電極１４６は上部基板１１１上に形成されて液晶セルに共通電圧を供給できるようにする。
赤色、緑色、青色カラーフィルタ１４２Ｒ、１４２Ｇ、１４２Ｂは、白色サブ画素領域を除いた該当サブ画素領域の上部基板１１１に形成され該当色の表示を具現する。一方、反射領域からなる白色サブ画素領域には開口であり、カラーフィルタがないライトホール１４４が形成される。
【００１９】
赤色、緑色、青色の各カラーフィルタ１４２Ｒ、１４２Ｇ，１４２Ｂには、サブ画素領域ＳＰＡの反射領域（ＲＡ）にカラーフィルタを貫通するようにライトホール１４４が形成され上部基板１１１を露出させる。各単位画素を成す赤色（Ｒ）、緑色（Ｇ）、青色（Ｂ）及び白色（Ｗ）サブ画素のライトホール１４４はモザイク形態で互いに隣接するように形成される。
【００２０】
この際、ライトホール１４４の面積は各サブ画素領域（ＳＰＡ）別の色温度またはホワイトバランスなどを考慮して調節される。
【００２１】
具体的に、白色、赤色、緑色、青色サブ画素領域のライトホール１４４の面積の広さは、白色サブ画素領域＞緑色サブ画素領域＞赤色サブ画素領域＞青色サブ画素領域の順である。
即ち、赤色（Ｒ）、緑色（Ｇ）及び青色（Ｂ）サブ画素領域のうち発光輝度の一番低い青色（Ｂ）を具現する青色サブ画素領域でのライトホール１４４の面積が最も狭く、発光輝度が一番高い緑色を具現する緑色サブ画素領域でのライトホール１４４の面積が一番広いように第１及び第２幅ｂ１、ｂ２を調節する。
【００２２】
例えば、緑色サブ画素領域でライトホール１４４が占める比率が緑色サブ画素領域の約０〜８５％になるように第１幅ｂ１を調節する。赤色サブ画素領域でライトホール１４４が占める比率が赤色サブ画素領域の０〜７５％になるように第２幅ｂ２を調節する。青色サブ画素領域でライトホール１４４が占める比率が青色サブ画素領域の０〜５０％になるように第１及び第２幅ｂ１、ｂ２を調節する。それにより、赤色、緑色及び青色サブ画素の発光輝度が近似してホワイトバランスを合わせることができる。
【００２３】
薄膜トランジスタ基板１６０はゲートライン１０２及びデータライン１０４と接続された薄膜トランジスタと、薄膜トランジスタと接続され各サブ画素領域の透過領域（ＴＡ）に形成された画素電極１２２と、各サブ画素領域の反射領域（ＲＡ）に形成された反射電極１２４を具備する。
【００２４】
薄膜トランジスタは、ゲートライン１０２からのゲート信号に応答してデータライン１０４からのデータ信号を選択的に画素電極１２２に供給する。そのために、薄膜トランジスタはゲートライン１０２と接続されたゲート電極１０６、データライン１０４に含まれるソース電極１０８、有機保護膜１１８を貫通するコンタクトホール１２０を通じて画素電極１２２と接続されたドレイン電極１１０、ゲート電極１０６との間にゲート絶縁膜１１２が配置されゲート電極１０６と重畳しソース電極１０８とドレイン電極１１０との間にチャンネルを形成する活性層１１４、活性層１１４とソース電極１０８及びドレイン電極１１０とのオーミックコンタクトのためのオーミックコンタクト層１１６を具備する。
【００２５】
ゲート電極１０６は、ゲートライン１０２と共に下部基板１０１上に形成され、活性層１１４及びオーミックコンタクト層１１６はゲート絶縁膜１１２上に積層され、その上にソース電極１０８とドレイン電極１１０がデータライン１０４と共に形成される。そして、薄膜トランジスタはその上に形成された有機保護膜１１８を貫通するコンタクトホール１２０を通じて画素電極１２２及び反射電極１２４と接続される。これにより、薄膜トランジスタはゲートライン１０２のゲート信号に応答してデータライン１０４のデータ信号を画素電極１２２及び反射電極１２４に供給する。一方、薄膜トランジスタ上に形成された有機保護膜１１８の上部及び／または下部には無機保護膜が追加で形成されたりもする。
【００２６】
画素電極１２２は各サブ画素領域にコンタクトホール１２０を通じてドレイン電極１１０と接続される。画素電極１２２は透過率の高い透明導電物質から形成されバックライトユニットからの内部光を透過させる。薄膜トランジスタからのデータ信号は画素電極１２２に供給され、画素電極１２２と共通電極１４６との電位差を発生させる。その電位差によって液晶分子がツイスト（ｔｗｉｓｔ）するようになり反射領域（ＲＡ）と透過領域（ＴＡ）それぞれの液晶分子のツイスト角度によって光透過量が決定される。
【００２７】
反射電極１２４は、各サブ画素領域の反射領域（ＲＡ）に形成され、その下の画素電極１２２を通じてドレイン電極１１０と接続される。
反射電極１２４が形成された領域は各サブ画素領域の反射領域（ＲＡ）として定義され、各サブ画素領域の他の領域、即ち反射電極１２４が形成されない領域は透過領域（ＴＡ）として定義される。
反射電極１２４は反射率の高い導電物質から形成されカラーフィルタ基板１５０を通じて入射される外部光をカラーフィルタ基板１５０の方に反射させる。反射効率を高くするために反射電極１２４がエンボシング表面（ｅｍｂｏｓｓ  ｓｕｒｆａｃｅ）を有するように有機保護膜１１８の表面がエンボシング表面を有するように形成される。
【００２８】
反射電極１２４は各サブ画素領域のライトホール１４４と重畳するように形成される。
そして、各単位画素を成す赤色、緑色、青色及び白色サブ画素それぞれの反射電極１２４はモザイク形態の２次元アレイをなすようにに互いに隣接するように形成される。
このような赤色、緑色、青色及び白色サブ画素の反射電極１２４のうちの少なくともいずれか一つは他のサブ画素の反射電極１２４の面積と異なるように形成する。
【００２９】
具体的には、白色サブ画素領域の反射電極１２４はその白色サブ画素領域のライトホール１４４と同一面積でそのサブ画素領域の全領域に形成される。
このような白色サブ画素領域の反射領域が各単位画素全体の反射領域の面積の少なくとも１／４の面積を占めるので、半透過型構造で反射効率が向上する。そして、従来の各サブ画素領域の相対的に狭い反射領域にエンボシング表面を有する有機保護膜を形成するより本発明のように反射領域からなる白色サブ画素領域にその有機保護膜１１８を形成することは製造工程上有利である。
【００３０】
緑色サブ画素領域の反射電極１２４は、ゲートライン１０２を間に置き白色サブ画素領域の反射電極１２４の上端に隣接して位置するように形成される。この緑色サブ画素領域の反射電極１２４は第３幅ｂ３を有するように形成される（図６参照）。
【００３１】
白色Ｗサブ画素領域の左側に位置する赤色サブ画素領域の反射電極１２４は、データライン１０４を間に置き白色サブ画素領域の反射電極１２４と隣接するように形成される。この赤色サブ画素領域の反射電極１２４は第４幅ｂ４を有するように形成される（図６参照）。
【００３２】
白色サブ画素領域に対して対角線方向に位置する青色サブ画素領域の反射電極１２４は第３幅ｂ３と同一の大きさの長さ（幅）を有し第４幅ｂ４と同一の大きさの幅（長さ）を有するように形成される。
【００３３】
第３及び第４幅ｂ３、ｂ４は、液晶表示パネルが使用される環境などを考慮して各サブ画素領域の反射電極１２４の面積を調節するために調整される。
【００３４】
具体的には、外部光量が相対的に高いところで使用される液晶表示パネルは反射モードに、外部光量が相対的に低いところで使用される液晶表示パネルは半透過モードに、外部光量がない（暗い）ところで使用される液晶表示パネルは透過モードに適するように第３及び第４幅ｂ３、ｂ４が調節される。
【００３５】
即ち、白色サブ画素領域で反射電極１２４が占める比率が１００％となり、赤色、緑色及び青色サブ画素領域で反射電極１２４が占める比率が０〜１００％になるように第３及び第４幅ｂ３、ｂ４を調節する。
【００３６】
例えば、白色サブ画素領域で反射電極１２４が占める比率が１００％であり、赤色、緑色及び青色サブ画素領域で反射電極１２４が占める比率が０％であると、反射モードの際白色サブ画素領域のみ駆動されて無彩色（白黒）画像が表示される。
この場合、液晶表示パネルは例えば、携帯電話外部窓のテキストモードに応用することができる。白色サブ画素領域に入射された外部光は液晶層を経由して白色サブ画素領域の反射電極１２４で反射され液晶層を経由して外部に出射される。赤色、緑色及び青色サブ画素領域に入射されたバックライトユニットからの内部光は液晶層を透過して外部に出射される。
【００３７】
白色サブ画素領域で反射電極１２４が占める比率が１００％であり、赤色、緑色及び青色サブ画素領域で反射電極１２４が占める比率が１００％であると、液晶表示パネルは反射モードで実施される。即ち、赤色、緑色、青色及び白色サブ画素領域に入射される外部光は液晶層を経由して各該当サブ画素領域の反射電極で反射され液晶層を経由して外部に出射される。
【００３８】
図５及び図６は、本発明の第１の実施形態よる液晶表示パネルの他の例のカラーフィルタ基板及び薄膜トランジスタ基板を示す平面図である。
図５及び図６に示すように、第１幅ｂ１と第３幅ｂ３が同一で、第２幅ｂ２と第４幅ｂ４が同一の、ライトホール１４４を通じて反射電極１２４に入射される光はライトホール１４４を通じて外部に出射され、内部光はカラーフィルタ１４２Ｒ、１４２Ｇ、１４２Ｂを通じて外部に出射される。
【００３９】
それにより、赤色、緑色、青色サブ画素領域の透過領域（ＴＡ）では有彩色及び無彩色の画像が実施され、赤色、緑色、青色サブ画素領域の反射領域（ＲＡ）及び白色サブ画素領域では無彩色の画像が実施される。
一方で、第１〜第４幅ｂ１、ｂ２、ｂ３、ｂ４の値が０である場合、赤色、緑色、青色サブ画素領域の反射領域（ＲＡ）が存在しないので赤色、緑色、青色サブ画素領域では有彩色及び無彩色の画像が実施され、白色サブ画素領域では無彩色の画像が実施される。
【００４０】
このように、本発明の第１の実施形態による液晶表示パネルは全体が反射領域によって占められる白色サブ画素と、透過領域及び反射領域のうちの少なくともいずれか一つによって占められる赤色、緑色及び青色サブ画素を有する単位画素を具備する。
それにより、本発明の第１の実施形態による液晶表示パネルは、反射モードの際、単位画素面積のうち少なくとも１／４の面積を反射領域が占め、外部光を反射させることで従来に比べて反射効率が高くなる。
【００４１】
図７及び図８は本発明の第２の実施形態による液晶表示パネルのカラーフィルタ基板及び薄膜トランジスタ基板を示す平面図である。
図７及び図８に示す液晶表示パネルは図１に示した液晶表示パネルと対比してストライプ形態に赤色、緑色、青色及び白色サブ画素が同一の列または行方向に配置されることを除いては同一の構成要素を具備する。それにより、同一の構成要素に対する詳細な説明は省略する。
【００４２】
図７及び図８を参照すると、ライトホール１４４は赤色、緑色及び青色サブ画素領域の反射領域でカラーフィルタ１４２Ｒ、１４２Ｇ、１４２Ｂの一部を貫通するように形成され、ライトホール１４４を通じて上部基板１１１を露出させる。
ライトホール１４４は、また、白色サブ画素領域の反射領域の上部基板１１１を露出させるように形成される。
各単位画素を成す赤色、緑色、青色及び白色サブ画素のライトホール１４４は、ストライプ形態（直線的）に互いに隣接するように形成される。この際、ライトホール１４４の面積は、各サブ画素領域別に色温度またはホワイトバランスなどを考慮して面積が調節される。
【００４３】
具体的には、発光輝度の最も低い青色Ｂを具現する青色サブ画素領域でのライトホール１４４の面積が一番狭く、発光輝度が一番高い緑色Ｇを具現する緑色サブ画素領域でのライトホールの面積が最も広いように第１〜第３幅ｄ１、ｄ２、ｄ３を調節する。
【００４４】
例えば、青色サブ画素領域でライトホール１４４が占める比率が青色サブ画素領域の約０〜５０％になるように第１幅ｄ１を調節する。
緑色サブ画素領域でライトホール１４４が占める比率が緑色サブ画素領域の０〜８５％になるように第２幅ｄ２を調節する。
赤色サブ画素領域でライトホール１４４が占める比率が赤色サブ画素領域の０〜７５％になるように第３幅ｄ３を調節する。
このようにして、赤色、緑色及び青色サブ画素の発光輝度が近似になりホワイトバランスを合わせることができる。
【００４５】
このようなライトホールと向き合うようにエンボシング表面を有する有機保護膜上には反射電極１２４が形成される。各単位画素を成す赤色、緑色、青色及び白色サブ画素それぞれの反射電極１２４はストライプ形態で互いに隣接するように形成される。
赤色、緑色、青色サブ画素領域の反射電極１２４の面積はそれぞれ同一で、白色サブ画素領域の反射電極１２４の面積は赤色、緑色、青色サブ画素領域の反射電極１２４の面積より大きく形成される。
【００４６】
具体的には、白色サブ画素領域の反射電極１２４はその白色サブ画素領域のライトホール１４４と同一面積で白色サブ画素領域の全領域にわたって形成される。このような白色サブ画素領域の反射領域が各単位画素全体の反射領域の面積の少なくとも１／４の面積を占めるので半透過モードで反射効率が向上する。
【００４７】
赤色、緑色及び青色サブ画素領域の反射電極１２４の面積が各々のサブ画素領域の面積の０〜１００％を占めるように第４幅ｄ４が調節される。第４幅ｄ４は、液晶表示パネルが使用される環境などを考慮して各サブ画素領域の反射電極１２４の面積を調節する。
【００４８】
具体的には、外部光量が相対的に高いところで使用される液晶表示パネルは反射モードに、外部光量が相対的に低いところで使用される液晶表示パネルは半透過モードに、外部光量のない（暗い）ところで使用される液晶表示パネルは透過モードに適するように第４幅ｄ４が調節される。
【００４９】
図９及び図１０は、本発明の第２の実施形態よる液晶表示パネルの他の例のカラーフィルタ基板及び薄膜トランジスタ基板を示す平面図である。
図９及び図１０に示すように、各サブ画素領域の反射電極１２４とライトホール１４４が重畳され面積が互いに同一である場合、ライトホール１４４を通じて反射電極１２４に入射される光はライトホールを通じて外部に出射され、内部光はカラーフィルタ１４２Ｒ、１４２Ｇ、１４２Ｂを通じて外部に出射される。
【００５０】
それにより、赤色、緑色、青色サブ画素領域の透過領域では有彩色及び無彩色の画像が実施され、赤色、緑色、青色サブ画素領域の反射領域及び白色サブ画素領域では無彩色の画像が実施される。
また、第１〜第３幅ｄ１、ｄ２、ｄ３の値が０である場合、赤色、緑色、青色サブ画素領域の反射領域が存在しないので赤色、緑色、青色サブ画素領域の透過領域では有彩色及び無彩色の画像が実施され、白色サブ画素領域では無彩色の画像が実施される。
【００５１】
このように、本発明の第２の実施形態による液晶表示パネルは全体が反射領域によって占められる白色サブ画素と、透過領域及び反射領域のうちの少なくともいずれか一つによって占められる赤色、緑色及び青色サブ画素を有する単位画素を具備する。
本発明の第２の実施形態による液晶表示パネルは反射モードの際、単位画素面積のうち少なくとも１／４の面積を反射領域が占め、外部光を反射させることで従来に比べて反射効率が高くなる。
【００５２】
上述のように、本発明による液晶表示パネルは図１及び図２に示したようにサブ画素がモザイク形態の２次元アレイに配列されるか、図７及び図８に示したように各サブ画素がストライプ形態に配列されることを例に挙げて説明したが、他にも赤色、緑色、青色及び白色サブ画素が列または行方向に配置されたデルタ形態等にも適用可能である。
【００５３】
上述したように、本発明による液晶表示パネルは反射領域として実施される白色サブ画素、透過領域及び反射領域のうち少なくともいずれか一つを有する赤色、緑色及び青色サブ画素を有する単位画素を具備する。それにより、本発明による液晶表示パネルは透過モードの際、白色サブ画素による色濃度低下を防止することができ、反射モードの際、単位画素面積のうち少なくとも１／４の面積で外部光を反射させることで従来に比べて反射効率が高くなる。
【００５４】
尚、本発明は、上述の実施形態に限られるものではない。本発明の技術的範囲から逸脱しない範囲内で多様に変更実施することが可能である。
【図面の簡単な説明】
【００５５】
【図１】本発明の第１の実施形態よるモザイク形態の２次元アレイに配置されるサブ画素を有する液晶表示パネルのカラーフィルタ基板を示す平面図である。
【図２】本発明の第１の実施形態よるモザイク形態の２次元アレイに配置されるサブ画素を有する液晶表示パネルの薄膜トランジスタ基板を示す平面図である。
【図３】図１のＩ−Ｉ’線に沿って切断した液晶表示パネルのカラーフィルタ基板を示す断面図である。
【図４】図２のＩ−Ｉ’線に沿って切断した液晶表示パネルの薄膜トランジスタ基板を示す断面図である。
【図５】本発明の第１の実施形態よるモザイク形態の２次元アレイに配置されるサブ画素を有する液晶表示パネルの他の例のカラーフィルタ基板を示す平面図である。
【図６】本発明の第１の実施形態よるモザイク形態の２次元アレイに配置されるサブ画素を有する液晶表示パネルの他の例の薄膜トランジスタ基板を示す平面図である。
【図７】本発明の第２の実施形態によるストライプ形態に配置されるサブ画素を有する液晶表示パネルのカラーフィルタ基板を示す平面図である。
【図８】本発明の第２の実施形態によるストライプ形態に配置されるサブ画素を有する液晶表示パネルの薄膜トランジスタ基板を示す平面図である。
【図９】本発明の第２の実施形態よるストライプ形態に配置されるサブ画素を有する液晶表示パネルの他の例のカラーフィルタ基板を示す平面図である。
【図１０】本発明の第２の実施形態よるストライプ形態に配置されるサブ画素を有する液晶表示パネルの他の例の薄膜トランジスタ基板を示す平面図である。
【符号の説明】
【００５６】
１０１、１１１    （下部及び上部）基板
１０２      ゲートライン
１０４      データライン
１０６      ゲート電極
１０８      ソース電極
１１０      ドレイン電極
１１２      ゲート絶縁膜
１１４      活性層
１１６      オーミックコンタクト層
１１８      有機保護膜
１２０      コンタクトホール
１２２      画素電極
１２４      反射電極
１４０      ブラックマトリックス
１４２Ｒ、１４２Ｇ、１４２Ｂ      （赤色、緑色、青色）カラーフィルタ
１４４      ライトホール
１４６      共通電極
１５０      カラーフィルタ基板
１６０      薄膜トランジスタ基板
【図１】
2008040496.tif 000003
【図２】
2008040496.tif 000004
【図３】
2008040496.tif 000005
【図４】
2008040496.tif 000006
【図５】
2008040496.tif 000007
【図６】
2008040496.tif 000008
【図７】
2008040496.tif 000009
【図８】
2008040496.tif 000010
【図９】
2008040496.tif 000011
【図１０】
2008040496.tif 000012